(57)【要約】【課題】合成樹脂発泡体である断熱板に形成した凹溝内に桟木を挿入して形成される型枠兼用断熱パネルにおいて、１種類の型枠兼用断熱パネルで入隅部や出隅部のコーナー部にも建て込むことができる型枠兼用断熱パネルを提供することを目的とする。【解決手段】型枠兼用断熱パネル２０は、合成樹脂発泡体である断熱板２１と、断熱板２１の一方の面に形成された複数本の凹溝２２に埋め込まれた複数本の桟木３０とを備える。断熱板２１は、一方の側辺に沿って凹溝と平行な第１の切り欠き部２６が形成され、他方の側辺には前記第１の切り欠き部２６が形成された面側とは反対の面側に第２の切り欠き部２７が側辺に沿うようにして形成されている。そして、第２の切り欠き部２７が形成されている側辺領域における第２の切り欠き部２７とは反対側の面側には平板部材３６が固定されている。第１の切り欠き部２６を形成した側辺領域にも第２の平板部材３６Ａを固定することもできる。【選択図】図７
2008223428.tif 000002
【特許請求の範囲】
【請求項１】
合成樹脂発泡体である断熱板と、該断熱板の一方の面に形成された複数本の凹溝に埋め込まれた複数本の桟木とを備えた型枠兼用断熱パネルであって、
前記断熱板は、一方の側辺に沿って前記凹溝と平行な第１の切り欠き部が形成され、他方の側辺には前記第１の切り欠き部が形成された面側とは反対の面側に第２の切り欠き部が側辺に沿うようにして形成されており、かつ前記第２の切り欠き部が形成されている側辺領域における第２の切り欠き部とは反対側の面側には平板部材が固定されていることを特徴とする型枠兼用断熱パネル。
【請求項２】
前記平板部材が固定されている面側であって、前記第１の切り欠き部が形成されている側辺領域にも第２の平板部材が固定されていることを特徴とする請求項１に記載の型枠兼用断熱パネル。
【発明の詳細な説明】
【技術分野】
【０００１】
本発明は、コンクリート壁またはコンクリートスラブ等の施工時に用いる型枠兼用断熱パネルに関する。
【背景技術】
【０００２】
従来、建築物の省エネルギー化の一手段としてコンクリート壁面に断熱施工を施すことが広く行われ、断熱施工における断熱板として、断熱性や軽量性に優れていることから発泡ポリスチレンのような合成樹脂発泡体が広く採用されている。また、施工を簡略化するために、合成樹脂発泡体である断熱板の一方の面に桟木を取り付けた型枠兼用断熱パネルが用いられようになっている。特許文献１あるいは特許文献２には、そのような型枠兼用断熱パネルの一例が記載されている。
【０００３】
図１０に、上記型枠兼用断熱パネルにおける標準タイプの型枠兼用断熱パネル４０Ａの正面図（図１０ａ）と背面図（図１０ｂ）を、また、図１１に図１０のａ−ａ線での断面図を示すように、この型枠兼用断熱パネル４０Ａは、一方の面に所要本数（図示の例では６本）の凹溝２２を形成した例えば発泡ポリスチレン板である断熱板４１と、その凹溝２２に嵌め込まれる桟木３０とで構成される。各凹溝２２は断面矩形状であり、凹溝２２の底部には凹溝２２の溝幅と同じ溝幅を持つ所要数の凹陥部２４が所定の間隔をおいて形成され、各凹陥部２４の底面には、該底面の面積よりも狭い開口面積を持つ貫通孔２５が、断熱板４１の他方の面に抜けるようにして形成されている。桟木３０は凹溝２２と同じ断面形状であり、その厚さは凹溝２２の深さよりも大きい。そして、桟木３０における、断熱材４１の凹溝２２内に嵌め込んだときに該凹溝２２に形成した貫通孔２５に対向することとなる位置には、釘３１のような突起体が断熱板４１の他方の面から突出しないようにして設けられている。図１０で短辺側の側辺には釘等の突起体を有しない形状の桟木３０ａが取り付けられている。
【０００４】
この型枠兼用断熱パネル４０Ａを用いてコンクリート壁を施工するには、外側の型枠には従来のコンパネ材を用い、型枠兼用断熱パネル４０Ａを桟木３０側が室内側となるようにして建て込み、該型枠兼用断熱パネル４０Ａとコンパネ材とにセパレータを所要本数装着した後、両外面部に端太材を組み付けて安定させる。そして、型枠兼用断熱パネル４０Ａとコンパネ材との空間部にコンクリートを流し込み、コンクリートが固化した後、コンパネ材等を除去することにより、一方の面（室内側）に型枠兼用断熱パネル４０Ａを張り付けたコンクリート壁が作られる。
【０００５】
なお、上記した型枠兼用断熱パネル４０Ａにおいて、凹陥部２４の底面に形成した貫通孔２５は、打設したコンクリートＤがその貫通孔２５内に入り込んで桟木３０とコンクリートＤとの付着強度を向上されるためのものであり、桟木３０に取り付けた突起体（釘３１）とともに、省略可能である。
【０００６】
【特許文献１】特開２００２−２０１７４８号公報
【特許文献２】特開２００５−１６２４９号公報
【発明の開示】
【発明が解決しようとする課題】
【０００７】
上記した標準型の型枠兼用断熱パネル４０Ａ等を用いて、コンクリートスラブあるいは建物側壁の施工を行うに当たり、型枠兼用断熱パネルは、平面状の部分（一般部）に連続して建て込むばかりでなく、出隅部や入隅部等のコーナー部にも建て込む必要がある。そのために、従来の型枠兼用断熱パネルでは、図１２に示すように、平面部（一般部）に建て込む標準型の型枠兼用断熱パネル４０Ａに加え、入隅部を形成するときに用いられる入隅部用の型枠兼用断熱パネル４０Ｂと、出隅部を形成するときに用いられる出隅部用の型枠兼用断熱パネル４０Ｃとの３種類の型枠兼用断熱パネル４０Ａ，４０Ｂ，４０Ｃを必要としている。
【０００８】
すなわち、従来の型枠兼用断熱パネルでは、図１２に示すように、上記した桟木３０が断熱板４１の両側辺に配置された標準型の型枠兼用断熱パネル４０Ａと、一方の辺側の桟木３０ｂが断熱板４１の端から距離ｄだけ内側寄りに配置された入隅用の型枠兼用断熱パネル４０Ｂと、一方の辺側の桟木３０ｂが断熱板４１の表面と同じ高さとされた出隅用の型枠兼用断熱パネル４０Ｃの３種類を必要とし、入隅部ではコーナー金具５０を用いて隣接する桟木３０ｂと桟木３０を釘打ち等で固定し、出隅部では平板部材５１を用いて、やはり隣接する桟木３０ｂと桟木３０を釘打ち等で固定している。
【０００９】
すなわち、建て込み作業時にそれらの３種類の型枠兼用断熱パネル４０Ａ，４０Ｂ，４０Ｃを不足することなく保管しておくこと、建て込み場所に合った型枠兼用断熱パネルを選択して建て込むこと、が必要となり、建て込み作業がやや煩雑化するのを避けられなかった。
【００１０】
本発明は、上述のような事情に鑑みてなされたものであり、合成樹脂発泡体である断熱板に形成した凹溝内に桟木を挿入して形成される型枠兼用断熱パネルにおいて、１種類の型枠兼用断熱パネルのみで、一般部のみならず、入隅部や出隅部のコーナー部にも建て込むことができる型枠兼用断熱パネルを提供することを課題とする。
【課題を解決するための手段】
【００１１】
本発明に係る型枠兼用断熱パネルは、合成樹脂発泡体である断熱板と、該断熱板の一方の面に形成された複数本の凹溝に埋め込まれた複数本の桟木とを備えた型枠兼用断熱パネルであって、前記断熱板は、一方の側辺に沿って前記凹溝と平行な第１の切り欠き部が形成され、他方の側辺には隣接する型枠兼用断熱パネルに形成した前記第１の切り欠き部が係合する第２の切り欠き部が側辺に沿って形成されており、かつ前記第２の切り欠き部が形成されている側辺領域における第２の切り欠き部とは反対側の面側には平板部材が固定されていることを特徴とする。
【００１２】
上記の型枠兼用断熱パネルを用いて型枠を建て込む場合には、桟木を取り付けた面がコンクリート流し込み側と反対の側となるようにして、すなわち、コンクリート壁の場合には桟木側が室内側になるようにし、型枠兼用断熱パネルの両側辺に形成した第１と第２の切り欠き部に、隣接する型枠兼用断熱パネルの前記切り欠き部によって形成された突出部を位置させた状態とする。そして、２つのパネルの側辺部に位置する桟木と前記平板部材とを適宜の冶具により固定する。この態様を採用することにより、一般部、出隅部、および入隅部のすべてを、１種類の型枠兼用断熱パネルのみを用いて建て込むことが可能となり、従来工法と比較して、建て込み作業は簡素化する。その後、従来工法と同様、型枠兼用断熱パネルとコンパネ材とにセパレータを所要本数装着した後、両外面部に端太材を組み付けて安定させた後、コンクリートを打設する。
【００１３】
また、本発明の型枠兼用断熱パネルでは、型枠兼用断熱パネル同士の係合部が、前記のように切り欠き部と突出部とが係合した状態であり、単なる端面同士の突き合わせ接合ではないので、仮に、何らかの事情より建て込んだ後のパネル表面間にわずかな隙間が生じてもパネル同士が接触しているため、コンクリート打設時の「のろ」が型枠兼用断熱パネルの接続部から流出することがなく、また断熱欠損も生じない、という効果ももたらされる。
【００１４】
本発明による型枠兼用断熱パネルの好ましい態様において、前記平板部材が固定されている面側であって、前記第１の切り欠き部が形成されている側辺領域に第２の平板部材が固定される。この態様の型枠兼用断熱パネルでは、隣接する２つの型枠兼用断熱パネルの接続を、２つのパネルの側辺部に位置する前記平板部材と前記第２の平板部材とを適宜の冶具により固定することにより行うことができるので、より強固な結合状態を得ることができる。
【００１５】
本発明において、断熱板の素材としての合成樹脂発泡体は、ポリスチレン発泡体、ポリエチレン発泡体、ポリプロピレン発泡体、硬質ウレタン発泡体、フェノール発泡体、イソシアネート発泡体、等を挙げることができる。中でも、ポリスチレン系発泡性樹脂粒子を成形型内に充填して加熱水蒸気等で加熱膨張させ互いに融着させてなる、ビーズ型内発泡成形体は好適に用いられる。断熱板の厚さは特に限定されるものでなく、施工環境に応じ任意に選定される。
【００１６】
本発明において、桟木および平板部材を構成する材料も特に制限はないが、取り付け金具等の治具を隣接する型枠兼用断熱パネル同士を固定的に接続するときに、止め具として用いられる釘やビスに対する保持力が安定していること、軽量であること、等の理由から木材あるいは合成木材、加工木質材のような木質材料が適している。他に、ポリスチレン、ポリプロピレン、ウレタン等の低発泡樹脂材料、等であってもよい。
【発明の効果】
【００１７】
本発明によれば、１種類の型枠兼用断熱パネルを用いるのみで、一般部のみならず、入隅部や出隅部のコーナー部にも強固に型枠兼用断熱型枠を建て込むことが可能となる。
【発明を実施するための最良の形態】
【００１８】
以下、本発明に係る型枠兼用断熱パネルの好ましい実施の形態について、図面を参照しながら説明する。
【００１９】
図１は、本発明による型枠兼用断熱パネル２０の一実施の形態を示す正面図（図１ａ）と背面図（図１ｂ）であり、この例では、図２に示す９００×２６００×５０（ｍｍ）程度の大きさの発泡ポリスチレン板である断熱板２１と、図３に示す桟木３０と、図４に示す平板部材３６とで構成される。断熱板２１はビーズ型内発泡等により一体成形されるものであり、図示の例では、断熱板２１の表面側に所定の距離を置いて長手方向に延びる所要本数（図示の例では５本）の凹溝２２，２２ａが形成されている。
【００２０】
図１ａでのａ−ａ線による断面図である図５、および図１ａのｂ−ｂ線による断面図である図６に示すように、各凹溝２２は断面矩形状であり、全長にわたり断熱板２１の厚みの１／３〜１／２程度の深さとされ、底部には所定の間隔をおいて所要の深さを持つ所要数の凹陥部２４が形成されている。そして、各凹陥部２４の底面には、断熱板２１の他方の面に抜ける貫通孔２５が形成されている。なお、前記凹陥部２４および貫通孔２５は省略してもよい。
【００２１】
断熱板２１の長辺側である一方の側辺側に形成され凹溝２２ａの外側には凹溝２２ａと連続するように第１の切り欠き部２６が形成される。断熱板２１の長辺側の他方の側辺には、前記第１の切り欠き部が形成された面側とは反対の面側（凹溝２２が形成されていない側の面）に第２の切り欠き部２７が形成されている。第１と第２の切り欠き部２６，２７の幅及び深さは、断熱板２１の厚さの約１／２程度である。この第１と第２の切り欠き部２６，２７により断熱板２１の長辺側の両側辺には型枠兼用断熱パネル２０の厚さの約１／２程度の厚さの第１の突出部２８と第２の突出部２９が形成される。この例において、断熱板２１の短辺側の両端にも凹溝２２ｂ，２２ｂが形成されているが、省略することもできる。
【００２２】
桟木３０は、断熱材２１の凹溝２２内に埋め込んで用いられるものであり、釘３１のような突起体３２を有している。凹溝２２内への桟木３０と取り付け態様等は、図１１に基づき説明したものと同様であり、詳細な説明は省略する。また、突起体３２が省略可能なことも同様である。
【００２３】
図４に示す平板部材３６は、図１および図５によく示すように、前記第２の切り欠き部２７が形成されている側辺領域における第２の切り欠き部２７とは反対側の面側に接着剤等によって固定される。平板部材３６は５〜２０ｍｍ程度の厚さであり、好ましくは、その上面と桟木３０の面とがほぼ面一となるようにされる。平板部材３６は、前記したように、後記する治具を固定するための止め具である釘やビスに対する保持力が安定していることが必要であり、木材あるいは合成木材、加工木質材のような木質材料が好適に用いられる。
【００２４】
図２に示す断熱板２１に、前記したようにして、図３に示す桟木３０および図４に示す平板部材３６を取り付けることより、図１に示す型枠兼用断熱パネル２０が形成される。
【００２５】
次に、図７，図８を用いて上記の型枠兼用断熱パネル２０を用いてコンクリート壁を施工する場合の一例を説明する。この例では、コンクリート壁４０の、建物の室内側の型枠兼用断熱パネルとして、図１〜図６に示した型枠兼用断熱パネル２０を用いている。
【００２６】
一般部（平面部）に型枠兼用断熱パネル２０を連続して建て込む場合は、図７の矢印Ａで示すように第１の切り欠き部２６と第２の切り欠き部２７とを組み合わせて相欠け継ぎとし、一方のパネル２０の平板部材３６と他方のパネル２０の桟木３０とに治具としての平板状の取り付け金具５３を釘等で打ち付ける。それにより、２枚の型枠兼用断熱パネル２０、２０は強固に接続される。
【００２７】
矢印Ｂで示す出隅部においては、直角に配置された型枠兼用断熱パネル２０、２０の一方のパネル２０の第２の切り欠き部２７に、他方のパネル２０の第１の突出部２８を係合し、取り付け治具であるＬ型のコーナー金具５４を、平板部材３６と桟木３０とに釘等で取付ける。それにより、２枚の型枠兼用断熱パネル２０、２０を強固に接続することができる。
【００２８】
矢印Ｃで示す入隅部においては、直角に配置された型枠兼用断熱パネル２０、２０の一方のパネル２０の第１の切り欠き部２６に、他方のパネル２０の第２の突出部２９を係合し、取り付け治具である逆Ｌ型のコーナー金具５０を平板部材３６と桟木３０とに釘等で打ち付ける。
【００２９】
上記のように、本発明に係る型枠兼用断熱パネル２０を用いることにより、１種類の型枠兼用断熱パネル２０によって一般部だけでなく、入隅部や出隅部のコーナー部も建て込むことができる。
【００３０】
そして、図８に示すように、従来の型枠兼用断熱パネルで型枠を建て込んだと同様に、外側の型枠には従来のコンパネ材６を用い、桟木３０側が室内側となるようにして建て込まれた型枠兼用断熱パネル２０と前記コンパネ材６とにセパレータ９を所要本数装着した後、両外面部に端太材７，８を組み付けて安定させて側壁の型枠を作り上げる。その後、壁部を形成することとなる空間部にコンクリートＤを流し込む。
【００３１】
本発明に係る型枠兼用断熱パネル２０は、型枠兼用断熱パネル２０同士の接続部が、切り欠き部２６，２７と突出部２８，２９とが係合しており、単なる突き合わせ接合ではないので、表面上は隙間が発生してもパネル同士接触しているため、そこからコンクリートの「のろ」が流出するのを阻止することができる。
【００３２】
なお、上記ではコンクリート壁を施工する場合について説明したが、この型枠兼用断熱パネルは天井のコンクリートスラブを施工する場合にも用いることができることは説明を要しない。
【００３３】
図９は、本発明による型枠兼用断熱パネルのさらに他の実施の形態を示す斜視図であり、この型枠兼用断熱パネル２０Ａは、図１〜図６に示した形態の型枠兼用断熱パネル２０において、前記平板部材３６が固定されている面側であって、前記第１の切り欠き部２６が形成されている側辺領域にも第２の平板部材３６Ａが接着剤等で固定されている点で、図１〜図６に示した形態の型枠兼用断熱パネル２０と構成が相違している。その他の構成は図１〜図６に示した型枠兼用断熱パネル２０と基本的に同じであり、同じ符号を付している。
【００３４】
図示しないが、型枠兼用断熱パネル２０Ａを用いる場合には、隣接する２枚の型枠兼用断熱パネル２０Ａ、２０Ａ同士の接続を、平板部材３６と第２の平板部材３６Ａとを治具である接続金具で固定することにより行うことができるので、より安定した接続状態が得られる。
【図面の簡単な説明】
【００３５】
【図１】本発明による型枠兼用断熱パネルの一実施の形態を示す正面図（図１ａ）と背面図（図１ｂ）。
【図２】断熱板の一形態を示す斜視図。
【図３】桟木の一形態を示す斜視図。
【図４】平板部材の一形態を示す斜視図。
【図５】図１ａのａ−ａ線による断面図。
【図６】図１ａのｂ−ｂ線による断面図。
【図７】本発明による型枠兼用断熱パネルを用いてコンクリート壁用の型枠を建て込む一例を説明するための図。
【図８】本発明による型枠兼用断熱パネルを用いてコンクリート壁を施工する場合の一例を説明するための図。
【図９】本発明による型枠兼用断熱パネルの他の実施の形態を示す斜視図。
【図１０】従来の型枠兼用断熱パネルを示す正面図（図１０ａ）と背面図（図１０ｂ）。
【図１１】図１０のａ−ａ線による断面図。
【図１２】従来の型枠兼用断熱パネルを用いてコンクリート壁用の型枠を建て込む一例を説明するための図。
【符号の説明】
【００３６】
２０…型枠兼用断熱パネル、２１…断熱板、２２…凹溝、２４…凹陥部、２５…貫通孔、２６，２７…切り欠き部、３０…桟木、３１…釘、３６、３６Ａ…平板部材、４５…コンクリート壁、Ｄ…打設コンクリート
【図１】
2008223428.tif 000003
【図２】
2008223428.tif 000004
【図３】
2008223428.tif 000005
【図４】
2008223428.tif 000006
【図５】
2008223428.tif 000007
【図６】
2008223428.tif 000008
【図７】
2008223428.tif 000009
【図８】
2008223428.tif 000010
【図９】
2008223428.tif 000011
【図１０】
2008223428.tif 000012
【図１１】
2008223428.tif 000013
【図１２】
2008223428.tif 000014